(57)【特許請求の範囲】
【請求項１】
・１つの回転軸（３）を中心にして旋回可能に配置された１つのミラー（５）と、
・１つの空隙（１３）を有する１つの鉄心（１１）及び１つのコイル（１５）と、
・１つの第１永久磁石（２３）及び１つの第２永久磁石（２５）とを備えるスキャナ装置（１）において、
軟磁性材から成る１つのアンカー部（７）が、前記回転軸（３）に対して半径方向に離間して前記ミラー（５）に固定されている結果、前記アンカー部が、前記ミラーの回転時に１つの円形軌道部（９）を占有し、
前記コイル（１５）が、前記鉄心の一部（１７）の周りに延在するように配置されている結果、第１電流方向（３５）に前記コイルに通電する場合は、第１コイル磁界方向に配向されている磁界が、前記空隙内に誘導され、前記第１電流方向に対して逆方向に配向されている第２電流方向に前記コイルに通電する場合は、前記第１コイル磁界方向に対して逆方向の第２コイル磁界方向に配向されている磁界が、前記空隙内に誘導され、
前記第１永久磁石の磁化が、その第１コイル磁界方向の方向を指し示す成分を有し、前記第２永久磁石の磁化が、その第２コイル磁界方向の方向を指し示す成分を有するように、前記第１永久磁石（２３）及び前記第２永久磁石（２５）は、前記空隙（１３）内に配置されていて、
前記アンカー部（７）によって占有される前記円形軌道部（９）が、前記空隙の内部に延在するように、前記鉄心（１１）が形成されていて且つ配置されていて、
前記第１永久磁石（２３）が、前記回転軸に対する前記空隙（１３）内の第１回転角度位置に配置されていて、前記第２永久磁石（２５）が、前記回転軸に対する前記空隙（１３）内の第２回転角度位置に配置されている当該スキャナ装置。
【請求項２】
前記第１永久磁石と前記第２永久磁石との磁化が、前記回転軸（３）に対して直交に延在するように、この第１永久磁石（２３）とこの第２永久磁石（２５）とは配置されている請求項１に記載のスキャナ装置。
【請求項３】
前記ミラー（５）は、面取りされたミラーであり、前記アンカー部（７）は、このミラーの面取り部に配置されている請求項１又は２に記載のスキャナ装置。
【請求項４】
前記スキャナ装置は、２つのアンカー部（７）が前記回転軸（３）に対して対称に配置されているように、前記ミラー（５）に固定されている当該２つのアンカー部（７）を有する少なくとも１つのアンカー部対を備える請求項１〜３のいずれか１項に記載のスキャナ装置。
【請求項５】
前記コイル（１５）によって誘導された磁界によって前記ミラー（５）に及ぼされる回転トルクが、回転トルク−角度特性曲線にしたがって前記ミラーの角度位置によって決まり、
前記第１永久磁石（２３）及び／又は前記第２永久磁石（２５）が、１つの磁極片を有し、前記回転トルク−角度特性曲線にしたがって発生する非線形性が、前記磁極片の形によって引き起こされる磁界の経時変化を用いて少なくとも部分的に補正されるように、前記磁極片は形成されている請求項１〜４のいずれか１項に記載のスキャナ装置。
【請求項６】
前記ミラー（５）が、前記回転軸（３）を中心にして旋回可能であるように、このミラー（５）は、前記鉄心（１１）に軸支されている請求項１〜５のいずれか１項に記載のスキャナ装置。
【請求項７】
前記ミラー（５）が、前記回転軸（３）を中心にして旋回可能であるように、このミラー（５）は、１つの弾性の連結部（５１）によって軸支されている請求項１〜６のいずれか１項に記載のスキャナ装置。
【請求項８】
電流が、前記コイル（１５）に通電されないときに、前記ミラー（５）が、前記弾性の連結部によって提供された復元力によって所定の中立位置に移行されるように、この弾性の連結部（５１）は形成されている請求項７に記載のスキャナ装置。
【請求項９】
前記コイル（１５）によって誘導された磁界によって前記ミラー（５）に及ぼされる回転トルクが、回転トルク−角度特性曲線にしたがって前記ミラー（５）の角度位置によって決まり、
前記回転トルク−角度特性曲線にしたがって発生する非線形性が、前記弾性の連結部によって提供された復元力によって少なくとも部分的に補正されるように、この弾性の連結部（５１）は形成されている請求項７又は８に記載のスキャナ装置。
【請求項１０】
前記ミラー（５）は、軸を使用しないで軸支されている請求項１〜９のいずれか１項に記載のスキャナ装置。
【請求項１１】
前記コイル（１５）は、前記回転軸（３）に対して同心状に配置されている請求項１〜１０のいずれか１項に記載のスキャナ装置。
【請求項１２】
前記スキャナ装置は、前記回転軸（３）に対して対称に配置された少なくとも２つのコイルを有する請求項１〜１１のいずれか１項に記載のスキャナ装置。
【請求項１３】
前記スキャナ装置は、２つのアンカー部を有する少なくとも１つのアンカー部対を備え、これらのアンカー部が、前記回転軸（３）に対して直交に延在する平面に対して対称に配置されているように、これらのアンカー部は、前記ミラー（５）に固定されている請求項１〜１２のいずれか１項に記載のスキャナ装置。
【発明の詳細な説明】
【技術分野】
【０００１】
本発明は、偏向ミラーを動力駆動に位置決めするための、例えば、レーザ加工時のレーザビームの位置決めに使用するためのスキャナ装置に関する。
【背景技術】
【０００２】
スキャナ装置又は光学スキャナは、光ビームを偏向によって位置決めするために、例えばパターンを変調するために使用される。光学スキャナが、偏向ミラーの位置を変更するために、例えば、回転コイル駆動部、回転磁石駆動部又は回転鉄心駆動部を有する。この場合、当該ミラーが、軸に固定されていて、この軸及びこのミラーが、当該それぞれの駆動部によって駆動されて回転可能である。例えば、当該ミラーの回転角度を、例えば当該駆動部の軸に直接に結合されている角度センサと、対応する制御電子装置とを介したフィードバックによって調整すること、及び安定して保持することが提唱され得る。
【０００３】
回転コイル駆動部は、そのコイルの軽い重量に起因して、同じトルク定数の回転磁石駆動部より小さい慣性モーメントを有する。しかしながら、当該コイルは、空気によって包囲されているので、当該コイルからその周囲への放熱が悪い。その結果、小さい保磁力しか発生し得ない。さらに、電力供給部が、摩耗しやすく、且つ寄生的な機械損失を伴う。回転磁石駆動部の場合、そのコイルが、鉄ヨークに接触している。その結果、このコイルによって発生した熱が、この鉄ヨークを通じて周囲に放出され得る。しかしながら、移動すべき磁石の質量も、発生可能な回転トルクと共に増大する。一方で、回転鉄心駆動部は、回転可能に配置された軟鉄要素をロータとして使用する。この場合、当該軟鉄要素の回転運動が、例えば鉄心を有するコイルによって発生し得る磁気回路の抵抗の変化を伴う。
【０００４】
米国特許第５，２２５，７７０号明細書は、例として回転磁石駆動部を有する光学スキャナを記す。この場合、力が、軟鉄ヨークに組み込まれた固定コイルによって永久磁石ロータに印加される。この場合、ミラーが、ロータの一方の端部に固定されていて、位置検出器が、このロータの他方の端部に配置されている。
【０００５】
レーザビームによる材料加工の場合、使用されるビーム径が小さく、当該ビームに要求される持続期間が短いが故に、ミラーの高い位置決め精度及び高い位置決め速度が要求される。すなわち、一方の回転角度位置から他方の回転角度位置までの当該偏向ミラーの速くて且つ正確に位置決めする位置変更が要求される。速い位置決め及び高い位置決め精度が、（駆動トルクに比べて）小さい慣性モーメントと、駆動部とミラーとの間の硬い結合とを要求する。したがって、ミラーが、駆動部によって駆動される軸に固定されていて、当該軸を有する光学スキャナの場合、当該駆動部から移動系までの慣性モーメントが、この軸とこのミラーとによって与えられていて、その結合剛性が、回転トルクを伝達する当該軸の捩れによって制限されている。
【先行技術文献】
【特許文献】
【０００６】
【特許文献１】米国特許第５，２２５，７７０号明細書
【発明の概要】
【発明が解決しようとする課題】
【０００７】
ミラーの速くて且つ正確な位置決めが、ミラーを有するスキャナ装置によって可能であり、扁平又はコンパクトな輪郭、すなわちほとんど邪魔にならない輪郭を成して構成され得る当該ミラーを有するスキャナ装置が、本発明によって提供される。
【課題を解決するための手段】
【０００８】
本発明によれば、スキャナ装置又は光学スキャナが提供される。当該スキャナ装置は、（少なくとも）１つのミラーを有する。当該ミラーが、１つの回転軸又は旋回軸を中心にして旋回可能であるように、当該ミラーは配置されていて且つ軸支されている。さらに、当該スキャナ装置は、（以下で「アンカー部」又は「アンカー」とも記される）軟磁性材から成る（少なくとも）１つの要素を有する。当該要素は、当該回転軸に対して半径方向に離間して当該ミラーに固定されている。その結果、当該要素は、当該ミラーの回転又は旋回運動時に当該ミラーと一緒に回転し、１つの円形軌道部に沿って移動される。このようなアンカーは、例えば、直方体状に形成されていて、接触するようにミラーに直接に配置されているか、又はミラー用に設けられている中間要素によって間接にミラーに固定されている。
【０００９】
前記スキャナ装置は、１つの空隙を有する（少なくとも）１つの鉄心をさらに備える。この場合、当該鉄心は、１つの部材又は複数の部材から形成され得る。当該鉄心は、例えば軟磁性材から成る、例えば軟鉄又は珪化鉄から成る。当該スキャナ装置は、（少なくとも）１つのコイルをさらに有する。当該コイルは、（以下で「コイルコア部」とも記される）当該鉄心の一部の周りに延在するように配置されている。当該コイルは、例えば絶縁された銅から成り得る。当該コイルは、例えばこのために設けられている制御装置によって通電可能である。この場合、（以下で「コイル磁界」とも記される）磁界が、当該電流の通電によって当該コイル、当該鉄心及び当該空隙に誘導される。この磁界の磁束が、その磁束密度を増大させながら当該鉄心によって閉じられて案内される。
【００１０】
コイルの通電時に、磁界が、鉄心内と空隙内とに誘導される。この場合、この磁界の方向が、当該コイル中の電流の方向によって決まる。（例えば、第１極性の電圧をコイルに印加することによって）第１電流方向にコイルに通電する場合は、第１コイル磁界方向に配向されている磁界が、当該空隙内に誘導される。同様に、（例えば、当該第１極性に対して逆の第２極性の電圧をコイルに印加することによって）当該第１電流方向に対して逆方向に配向されている第２電流方向にコイルに通電する場合は、第２コイル磁界方向に配向されている磁界が、当該空隙内に誘導される。この場合、当該第２コイル磁界方向は、当該第１コイル磁界方向に対して逆方向に配向されている又は逆平行に延在する。以下では、当該コイルが、第１電流方向又は第２電流方向に通電されるときに、当該コイルによって当該空隙内に誘導される（例えば、当該鉄心内に誘導されない）磁界の方向は常に、第１又は第２コイル磁界方向と記される。
【００１１】
前記光学スキャナは、１つの第１永久磁石又は磁石と１つの第２永久磁石又は磁石とを有する（少なくとも）１つの永久磁石対を備える。当該第１磁石は、第１磁化方向に延在する磁化を呈し、当該第２磁石は、第２磁化方向に延在する磁化を呈する。これらの磁石は、特に、高いエネルギー密度を有する材料から成る、例えばＮｄＦｅＢから成る。
【００１２】
前記第１磁石の磁化が、その第１コイル磁界方向の方向を指し示す成分を有し、前記第２磁石の磁化が、その第２コイル磁界方向の方向を指し示す成分を有するように、この第１磁石及びこの第２磁石は、前記鉄心の空隙内に配置されている。したがって、この第１磁石及びこの第２磁石の磁化は、前記コイルによって前記空隙内に誘導された磁界に対して平行に延在する成分（いわゆる平行成分）と、当該成分に対して直交する成分（いわゆる、直交成分）とにベクトル分解される。この第１磁石の磁化の平行成分が、その第１コイル磁界方向の方向を指し示すように、この第１磁石は配置されていて、この第２磁石の磁化の平行成分が、その第２コイル磁界方向の方向を指し示すように、この第２磁石は配置されている。
【００１３】
例えば、前記第１磁石の磁化が、その第１コイル磁界方向を（ほぼ又は完全に）指し示すように、この第１磁石を配置すること、及び／又は、前記第２磁石の磁化が、その第２コイル磁界方向を（ほぼ又は完全に）指し示すように、この第２磁石を配置することが提唱され得る。さらに、前記第１磁石の磁化が、前記第２磁石の磁化と同じ絶対値を有し、及び／又は、前記第１磁石の磁化が、前記第２磁石の磁化に対して逆方向に配向されている（すなわち、当該第１磁化方向と当該第２磁化方向とが、互いに逆平行に延在する）ように、この第１磁石とこの第２磁石とを構成すること及び配置することが提唱され得る。
【００１４】
前記アンカーは、前記回転軸に対して半径方向に離間して前記ミラーに固定されている。その結果、このアンカーは、このミラーの回転時に円形軌道部に沿って移動される。さらに、このアンカーによって占められるこの円形軌道部が、前記鉄心によって形成された前記空隙の内部に延在し、したがってこのアンカーが、このミラーの回転時にこの空隙の内部で移動されるように、この鉄心は形成されていて且つ配置されている。
【００１５】
前記第１永久磁石が、前記回転軸に対する前記空隙内の第１回転角度位置に配置されていて、前記第２永久磁石が、前記回転軸に対する前記空隙内の第２回転角度位置に配置されているように、この第１磁石及びこの第２磁石は、この空隙の内部に配置されている。この場合、例えば、この第１磁石及び／又はこの第２磁石は、前記鉄心に接触して配置され得る。
【００１６】
電流が、前記コイルに通電されると、このコイルによって誘導された磁界が、前記空隙内で前記永久磁石によって誘導された磁界と重畳する。特に、電流が、このコイルに第１電流方向に通電されると、この空隙において、当該第１磁石に存在する磁界は強められ、当該第２磁石に存在する磁界は弱められる。これにより、軟磁性の前記アンカーが、発生するリアクタンス力に起因して、前記ミラーを回転させながら、前記第１回転角度位置に配置された前記第１磁石に向かって移動される。同様に、電流が、このコイルに第２電流方向に通電されると、この空隙において、当該第１磁石に存在する磁界は弱められ、当該第２磁石に存在する磁界は強められる。これにより、当該アンカーが、前記ミラーを回転させながら、前記第２回転角度位置に配置された前記第２磁石に向かって移動される。したがって、当該ミラーが、当該コイル電流の値及び方向を調整することによって回転運動に移行され、位置変更され得る。
【００１７】
本発明によれば、前記ミラーは、前記アンカーに対する上記の力の作用によって旋回駆動される。この場合、当該回転トルクの、ミラーへの伝達は、軸を介して実行されず、当該旋回駆動は、軸によらないで維持され得る。これにより、当該ミラーの位置決め精度が、回転トルクを伝達する軸の捩れによって低下しない。その結果、高い位置決め精度を有する当該ミラーの位置決めが、前記スキャナ装置によって可能である。さらに、本発明の旋回駆動部が、従来のリラクタンス駆動部で必要なロータの帯鋼なしに構成されている。この代わりに、ロータの磁束を案内する部分が、分割空隙によって分離されていて、前記鉄心の磁極片部に割り当てられている。
【００１８】
さらに、前記ミラーと一緒に回転する前記旋回駆動部の一部、すなわちアンカーが、小さく維持され得るので、小さい質量で形成され得る。その結果、当該駆動部によって移動される系の慣性モーメントが、小さく維持され得る。これにより、速くて慣性の小さいミラーの位置変更が、前記スキャナ装置によって可能である。さらに、回転軸に沿って延在する軸が、回転トルクを伝達するために必要でないので、当該スキャナ装置は、その回転軸に沿った幅の狭い輪郭を成して構成され得る。使用された軟磁性材の高い透磁率に起因した磁束の集中と、寄生質量の減少と、当該ミラーに配置された力を捕らえる要素とによって、回転トルクと慣性モーメントとの間の良好な関係が達成可能である。
【００１９】
これに対して、従来のスキャナの場合は、一緒に移動するか又は一緒に回転する駆動部（例えば、回転トルクを伝達する軸）の一部が、大きい質量を有する。何故なら、当該一部は、例えば永久磁石自体から成るからであり、及び／又は、ミラーを回転させるための回転トルクが、当該駆動部に属する、軸受又は第２アンカーによって支持されているレバーによって発生するからである。当該移動すべき質量の高い慣性が、駆動部とミラーとを機能的に且つ場所的に分離することによって発生する。
【００２０】
前記空隙は、前記鉄心の第１端部と第２端部との間に形成されている。この場合、特に、上記の複数の磁石が、前記鉄心の第１端部に接触するように配置されていて、前記アンカーが、これらの磁石と前記鉄心の第２端部との間に配置されているように、これらの磁石及びこのアンカーを当該空隙の内部に配置することが提唱され得る。その結果、この空隙内には、前記第１磁石と前記アンカーとの間に配置された（第１「動作空隙」とも記される）部分空隙が形成されていて、前記第２磁石と前記アンカーとの間に配置された（第２「動作空隙」とも記される）部分空隙が形成されていて、前記アンカーとこのアンカー側の前記鉄心の第２端部との間に配置された（以下で、「分割空隙」とも記される）部分空隙が形成されている。この分割空隙は、例えば滑り軸受として形成され得る。
【００２１】
前記鉄心のコイルコア部は、前記鉄心の、永久磁石側の前記第１端部とアンカー側の前記第２端部との間に配置されている。この場合、これらの３つの部分は、それぞれ別々の部材として形成されてもよいし、又は、これらの部分のうちの２つの部分若しくは全ての部分が、ただ１つの部材として一体的に形成されてもよい。当該アンカー側の鉄心の端部は、磁界線を案内するための磁極片として形成され得る。当該永久磁石側の鉄心の端部は、磁石ヨークとして使用される。
【００２２】
より良好な力の作用を達成するため、前記アンカーの移動軌道に接して延在するこのアンカーの寸法が、この方向に沿った前記第１磁石と前記第２磁石との間の距離より大きい。さらに、前記鉄心の第２端部と前記アンカーとの間の距離が、前記ミラーの回転運動時に一定に保持されるように、当該アンカー側の鉄心の第２端部を、一定の半径を有する磁極片として形成することが提唱され得る。前記コイルによって誘導された磁界の磁束方向に沿った前記分割空隙によって、これらの磁石と当該コイルコアとの間の著しい磁気バイパスが、上記の複数の動作空隙に対して平行に発生しないような長さだけで、当該アンカーが有益に形成されている。
【００２３】
電流が、コイルに通電していなく、アンカーが、例えば０度の旋回角度を成す（すなわち、上記の２つの磁石に対して中心に位置決めされている）ときに、このアンカーと、これらの磁石に接触した前記鉄心の第１端部とを通じて当該両磁石間に延在する（「励磁前磁気回路」とも記される）短い磁気回路が発生する。電流が、コイルに通電されると、このコイルによって誘導された磁界が、上記の両動作空隙内で永久磁石によって誘導された磁界と重畳し、当該アンカー側の鉄心の第２端部によって当該アンカーを通じて偏向される。当該両動作空隙内に存在する磁束密度の差が、当該発生する界面力によって当該アンカーに対する回転トルクを引き起こす。その電流方向が反転すると、当該回転トルクの作用の方向も反転する。
【００２４】
上記のコイルの通電によって発生するアンカーに対する力の作用は、当該両動作空隙で発生する。これに対して、−特に、一定の半径を有する磁極片としての前記第２端部の構造における−分割空隙には、当該アンカーに対する回転トルクの作用は、発生しないか又はほんの僅かしか発生しない。しかしながら、この分割空隙の半径方向の位置が、回転トルクと慣性モーメントとの間の関係に影響を及ぼす。駆動系の可動な構成要素は、ミラーに固定されたアンカーに制限される。この場合、磁束を案内する部材の大部分が、固定されていて且つ連動されない。当該アンカーにおいて達成可能な高い磁束密度によって、高い駆動力が、駆動部によって発生する慣性を小さくして達成される。寄生する慣性モーメントが、アンカーをミラーに質量を削減して固定することによって小さく維持され得る。
【００２５】
したがって、前記スキャナ装置は、主に、前記駆動系と１つのミラーとこのミラーを保持するためのホルダとこのミラーを軸支するための１つの軸受と１つの位置検出器とから構成される。この場合、当該駆動系は、１つのステータを構成する固定式の複数の構成要素（鉄心、コイル永久磁石）と、可動な複数の構成要素（アンカー）とを有する。（アンカーを伴う）ミラー及びミラーホルダが交換可能に構成されていることが提唱され得る。
【００２６】
前記位置検出器は、例えば、光学原理、電磁誘導原理、静電容量原理又は磁気原理に基づいてもよく、前記コイル又は前記駆動系の適切な制御を通じて当該位置検出器に提供された位置信号を評価することによって前記ミラーを規定通りに調整するために使用され得る。当該位置検出器のミラー側の部材は、例えば前記ミラー又は前記ミラーホルダに固定され得る。非接触式に測定する位置検出器の場合は、当該位置検出器が、ミラー面と直接に相互作用する。
【００２７】
前記スキャナ装置は、光ビーム（例えば、レーザビーム）を偏向させるために、特にレーザビームによる材料加工のために設けられている。前記ミラーが、前記駆動系の固定式の構成要素に対する軸受に保持することによって前記回転軸を中心にして軸支されている。
【００２８】
前記第１コイル磁界方向及び前記第２コイル磁界方向は、（鉄心の適切な構造及び配置によって）例えば、前記回転軸に対して直交に、前記回転軸に対して平行に又は前記回転軸に対して任意の角度を成して延在するように配置され得る。これに応じて、前記第１磁石及び前記第２磁石の磁化は、（当該両磁石の適切な配置によって）前記回転軸に対して直交に、前記回転軸に対して平行に又は前記回転軸に対して或る角度を成して延在し得る。この場合、この第１磁石の磁化が、この第１コイル磁界方向の方向を指し示す成分を有し、この第２磁石の磁化が、この第２コイル磁界方向の方向を指し示す成分を有するように、これらの磁石及びこの鉄心は常に配置されている。
【００２９】
１つの実施の形態によれば、前記第１磁石と前記第２磁石との磁化が、前記回転軸に対して直交に（例えば、ほぼ半径方向に）延在するように、この第１磁石とこの第２磁石とは配置されている。この場合、前記第１コイル磁界方向と前記第２コイル磁界方向とが、前記回転軸に対して直交に（例えば、ほぼ半径方向に）延在するように、前記鉄心が配置されていることがさらに提唱され得る。しかしながら、この構成によっても、前記第１コイル磁界方向と前記第２コイル磁界方向とが、（前記鉄心の適切な構造及び配置によって）前記回転軸に対して或る角度を成して延在することが提唱され得る。この構成によれば、−高さ方向としての前記回転軸に沿って見て−前記アンカーと前記鉄心との双方が、前記ミラーの上方及び／又は下方に配置され得る、すなわち入射光及び反射光の光路の外側に配置され得る。その結果、例えば、大きい入射角度と出射角度とを成す光の入射が可能である。
【００３０】
別の実施の形態によれば、面取りされたミラー、すなわち傾斜された１つ又は複数の角又は縁部を有するミラーが形成されている。この場合、アンカー部が、当該ミラーの面取り部に配置されていて、例えば三角形の横断面を成して形成され得る。アンカーが、当該ミラーの面取り部に配置されていることによって、光ビーム又はレーザビームによって照射されない領域も、設置スペースとして有効に形成され得、回転軸の方向の邪魔な輪郭が小さく維持され得る。その結果、当該スキャナ装置の構造が、コンパクトな形によってさらに改良されている。
【００３１】
別の構成によれば、前記スキャナ装置は、２つの（好ましくは同じ）アンカー部を有する。これらのアンカー部が、前記回転軸に対して対称に配置されているように、これらのアンカー部は、前記ミラーに固定されている。さらに、当該それぞれのアンカー部が、コイルの通電によって力の作用を前記磁石対の両磁石のうちの１つの磁石に対して及ぼすように、上述したように、当該それぞれの磁石対が、当該両アンカー部のそれぞれのアンカー部に割り当てられている。これらのアンカーが、当該ミラーに対称に設けられていることによって、対称な力の作用が実現され得る。これにより、例えば、半径方向の軸受負荷が低下され得、より良好な空間利用が可能になり得る。任意の数のアンカー部が、その回転軸に対して対称に配置されているように、当該任意の数のアンカー部を当該ミラーに固定することも提唱され得る。例えば、当該スキャナ装置が、複数のアンカー部対を有することが提唱され得る。この場合、それぞれの対は、２つの（好ましくは同じ）アンカー部を有する。この場合、それぞれの対の両アンカー部が、その回転軸に対して対称に配置されているように、当該それぞれの対の両アンカー部は、当該ミラーに固定されている。
【００３２】
この代わりに又はこれに加えて、前記スキャナ装置は、２つの（好ましくは同じ）アンカー部が、前記回転軸に対して直交に延在する平面に対してミラー対称に配置されているように、当該ミラーに固定されている当該２つの（好ましくは同じ）アンカー部を有し得る。この場合、上述したように、当該それぞれのアンカー部が、コイルの通電によって力の作用を当該磁石対の両磁石の１つの磁石に対して及ぼすように、当該それぞれ１つの永久磁石対が、例えば、これらの両アンカー部のそれぞれのアンカー部に割り当てられている。これらのアンカーが、このようにして当該ミラーに対して対称に設けられていることによって、より薄い厚さを有するミラーが、その両側の力の印加に起因して形成され得る。また、これにより、より高い位置周波数が可能になっている。任意の数の駆動部が、その回転軸に対して直交に延在する平面に対して対称に配置されているように、当該任意の数のアンカー部を当該ミラーに固定することも提唱され得る。例えば、前記スキャナ装置が、複数のアンカー部対を有することが提唱され得る。この場合、それぞれの対が、２つの（好ましくは同じ）アンカー部を有する。この場合、それぞれの対の両アンカー部が、その回転軸に対して直交に延在する平面に対して対称に配置されているように、当該それぞれの対の両アンカー部は、当該ミラーに固定されている。
【００３３】
特に、前記ミラーに固定された複数のアンカー部が、その回転軸に対して対称に配置されていて、且つその対称軸に対して直交に延在する平面に対してもミラー対称に配置されているように、当該複数のアンカー部が、当該ミラーに固定されていることが提唱され得る。この場合、上述したように、当該それぞれのアンカー部が、コイルの通電によって力の作用を前記磁石対の両磁石の１つの磁石に対して及ぼすように、当該１つの永久磁石対が、これらのアンカー部のそれぞれのアンカー部に割り当てられ得る。
【００３４】
１つの実施の形態によれば、前記スキャナ装置は、前記回転軸に対して同心状に配置された１つのコイルを有する。回転トルクが、この回転軸に対して同心状に配置されたただ１つのコイルによって当該ミラーに対して対称に配置された２つ又は複数のアンカーに対称に伝達されるように、特に当該スキャナ装置の対称な構成が、このような構成によって可能になっている。
【００３５】
前記スキャナ装置は、前記回転軸に対して偏心状に配置された１つ又は複数のコイルを有することも提唱され得る。１つの構成によれば、前記スキャナ装置は、前記回転軸に対して対称に配置された（少なくとも）２つのコイルを有する。この構成によれば、回転トルクが、例えば前記両コイルのそれぞれのコイルによってそれぞれ１つのアンカー部に伝達される。一般に、前記スキャナ装置は、当該ミラーに固定された任意の数のアンカーと、それぞれ１つの第１磁石及び１つの第２磁石を有する同数の永久磁石対とを有することが提唱され得る。この場合、上述したように、前記アンカー部が、コイルの通電によって力の作用を前記磁石対の両磁石の１つの磁石に対して及ぼすように、当該それぞれ１つの永久磁石対が、当該それぞれのアンカー部に割り当てられている。
【００３６】
前記第１永久磁石及び／又は前記第２永久磁石は、前記アンカー又は前記ロータに面する当該永久磁石の側に１つの磁極片を有することが提唱され得る。ロータの効果的な半径、すなわち慣性モーメントと回転トルクとの関係が、この磁極片によって、同じコイル形状のときの駆動負荷に応じて適合され得る。
【００３７】
前記コイルの通電時に前記アンカーによって前記ミラーに及ぼされる回転トルクが、当該ミラーの角度位置によって変化し得る、例えば、当該コイルの中立位置からのそのコイルの旋回に応じて非線形に変化し得る。この場合、当該回転トルクと当該旋回角度との依存性は、回転トルク−角度特性曲線を用いて表記可能である。当該回転トルク−角度特性曲線にしたがって発生する非線形性が、前記磁極片の形によって引き起こされる磁界の経時変化を用いて部分的に又は完全に補正されるように、前記磁石に設けられている当該磁極片は形成され得る。この代わりに、当該回転トルクの角度依存性が、当該磁極片の形によって引き起こされた磁界の変化を用いて少なくとも部分的に又は完全に補正されるように（したがって、発生する回転トルクは、例えば角度によってほぼ決まる）、当該磁極片を形成することが提唱され得る。
【００３８】
このため、磁極片は、高い透磁率を有する材料（例えば、鉄）から成る部材である。当該材料は、例えば永久磁石の磁界線をその永久磁石の形にしたがって案内し、所定の形で発生させるために使用される。前記回転トルク−角度特性曲線の非線形性又は当該回転トルクの角度依存性が補正されることによって、当該ミラーの位置決めが著しく簡単にされ得る。
【００３９】
前記ミラーが、前記回転軸を中心にして旋回可能であるように、当該ミラーは、軸受又は軸受部によって軸支されている。この場合、当該ミラーは、前記回転軸に対して片側又は両側に軸支され得る。１つの構成によれば、当該ミラーは、前記鉄心に軸支されている。当該鉄心が、駆動部として且つ当該ミラーを軸支するためのスラスト軸受として使用されることによって、前記スキャナ装置のコンパクトな構造が、さらに改良され得る。
【００４０】
回転トルクが、前記アンカーを通じて前記ミラーに伝達されることによって、当該回転の伝達が、駆動部のロータ区間から軸を使用しない当該ミラーに取って替えられ、当該ミラーは、軸を使用しないで軸支され得る（すなわち、回転トルクを伝達する軸が、当該ミラーを軸支するために不要である）。例えば、当該ミラーをミラーホルダによって軸支することが提唱され得る。この場合、当該ホルダは、当該ミラーを保持するためのホルダ部と軸又は回転軸スタブとを有する。この場合、当該軸は、回転する又は一緒に回転する軸として形成されていて、前記鉄心に回転可能に軸支されている。この代わりに、軸を固定されていて一緒に回転しない軸として形成すること、及び当該鉄心を固定することが提唱され得る。この場合、当該ミラーが、直接に又はホルダによって当該軸に回転可能に軸支されている。しかしながら、当該軸は、純粋な支持機能又は軸受機能を有するものの、回転トルクを当該駆動部から当該ミラーに伝達するために使用されない。いわば、当該ミラーは、軸受自体に支持することによって、当該回転トルクを発生させるためのレバーとして使用され得る。
【００４１】
１つの構成によれば、前記ミラーは、１つの弾性の連結部によって前記回転軸を中心にして回転可能に軸支されている。この場合、この弾性の連結部は、特に交差ばね連結部として構成されている。ころ軸受を有する従来のガルバノメータスキャナとは違って、弾性の連結部は、明らかにより長い寿命と、当該ミラーの移動及び位置決め時のより高い精度とを有する。弾性の連結部は、弾性湾曲によって２つの剛体領域間の相対運動を可能にする。その結果、当該ミラーがその中立位置又は零位置から旋回するときに逆らって作用する復元トルクが、この弾性の連結部によって提供され得る。
【００４２】
前記ミラーが、前記両磁石間の中心に配置されたアンカーの中立位置に存在するときに、当該ミラーの双安定な挙動が存在する。この場合、当該ミラーが、当該両磁石の１つの磁石の方向に旋回すると、当該ミラーは、この方向にさらに旋回する。前記コイルが通電されないときに、当該無通電状態にある双安定な挙動が、小さい傾斜角度に対して補正され、当該ミラーが、前記弾性の連結部によって提供された復元トルクによってその所定の中立位置に移行されるように、当該弾性の連結部は形成され得る。
【００４３】
さらに、（コイルによってアンカーを介してミラーに及ぼされる回転トルクの変化を旋回角度に応じて表記する）前記回転トルク−角度特性曲線にしたがって発生する非線形性が、少なくとも部分的に（又は完全に）補正されるように、当該弾性の連結部を形成することが提唱され得る。
【００４４】
以下に、本発明を、図面を参照して実施の形態に基づいて説明する。この場合、同じ又は同様な特徴は、同じ符号で付記されている。
【図面の簡単な説明】
【００４５】
【図１】第１の実施の形態による、ただ１つのアンカーを有する光学スキャナの等角投影図である。
【図２】ミラー及びミラーホルダを省略した図１による無通電時における光学スキャナの平面図である。
【図３】コイルに通電されているときの図１による光学スキャナの横断面図である。
【図４】コイルに通電されているときのミラー及びミラーホルダを省略した図１による光学スキャナの平面図である。
【図５】第２の実施の形態による、２つのアンカー及び共通の１つのコイルを有する光学スキャナの等角投影図である。
【図６】図２による光学スキャナの横断面図である。
【図７】第３の実施の形態による、２つのアンカー及び２つのコイルを有する光学スキャナの等角投影図である。
【図８】図７による光学スキャナの横断面図である。
【図９】第４の実施の形態による、ミラー面取り部に配置された２つのアンカーを有する光学スキャナの等角投影図である。
【図１０】図９による光学スキャナの横断面である。
【図１１】第５の実施の形態による、２つの弾性の連結部を軸受として有する光学スキャナの等角投影図である。
【発明を実施するための形態】
【００４６】
図１〜４によれば、第１の実施の形態によるスキャナ装置又は光学スキャナ１は、１つの旋回軸又は回転軸３を中心にして旋回可能に配置された１つのミラーを有する。軟磁性材から成る１つのアンカー７が、当該回転軸３に対して半径方向に離間して当該ミラー５に固定されている。したがって、当該回転軸３を中心にしたミラー５の回転時に、当該アンカー７が、（図２の二重矢印９によって示された）円形軌道部に沿って移動される。
【００４７】
前記光学スキャナ１は、１つの空隙１３を有する１つの鉄心１１を備える。さらに、この光学スキャナ１は、その鉄心の（コイルコア部１７とも記される）一部１７の周りに延在するように配置されている１つのコイル１５を有する。当該空隙１３が、当該鉄心１１の、磁石ヨークとして機能する１つの第１端部１９と、当該鉄心１１の、磁極片として機能する第２端部２１との間に形成されている。したがって、当該鉄心１１は、第１端部１９、第２端部２１、及びこの第１端部１９とこの第２端部２１との間に配置されたコイルコア部１７から構成されている。この場合、これらの３つの部分がそれぞれ、独立した部品として形成されてもよいし、又は、これらの部分のうちの２つの部分若しくは全ての部分が、ただ１つの部品として一体的に形成されてもよい。図１〜４による構成の場合、特に、コイル１５が、回転軸３に対して同心状に配置されているように、当該鉄心１１及び当該コイル１５が形成されている。
【００４８】
前記光学スキャナ１は、１つの第１永久磁石２３と１つの第２永久磁石２５とを有する。これらの永久磁石は、前記空隙１３内に配置されている。当該両永久磁石２３，２５は、前記鉄心１１のヨーク１９に接触するように配置されている。１つの第１動作空隙２７が、この第１永久磁石２３と前記アンカー７との間の前記空隙１３内に形成されていて、１つの第２動作空隙２９が、この第２永久磁石２５と前記アンカー７との間に形成されていて、１つの分割空隙３１が、当該鉄心のアンカー側の第２端部２１と前記アンカー７との間に形成されているように、このアンカー７が、一定の半径を有する磁極片として形成された前記鉄心の第２端部２１と当該両永久磁石２３，２５との間の前記空隙１３の内部に配置されている。
【００４９】
電流が、コイル１５に通電されると、磁界が、鉄心１１内と空隙１３内とに誘導される。この場合、当該磁界の方向が、当該コイルの電流の電流方向によって決まる。図３は、第１電流方向３５に電流を当該コイル１５に通電したときのスキャナ装置１を示す。この場合、磁界が、このコイル１５によって誘導される（そしてこの場合、図３は、第１永久磁石２３を切断するように延在するｘｚ平面に対して平行な断面を示す）。このコイル１５が、当該第１電流方向３５に通電されると、第１コイル磁界方向に延在する磁界が、当該空隙１３内に誘導される。この場合、図３によれば、この第１コイル磁界方向は、前記図に示されたｘｙｚ座標系のｘ方向の逆の方向である。電流が、このコイル１５に当該第１電流方向３５に対して逆方向の（図示されなかった）第２電流方向に通電されると、同様に、第２コイル磁界方向に延在する磁界が、当該空隙１３内に誘導される。この場合、この第２コイル磁界方向は、当該ｘｙｚ座標系のｘ方向と同じ方向である。ここでは、用語であるコイル磁界方向は、このコイル１５によってこの空隙１３内に誘導される磁界の方向を意味する。
【００５０】
前記図では、前記永久磁石２３，２５の磁化方向が、Ｎ磁極Ｎ及びＳ磁極Ｓをそれぞれの前記永久磁石に付記することによって示されている。当該第１永久磁石２３の磁化が、ｘ方向の逆の方向を指し示し、したがって前記第１コイル磁界方向に等しいように、この第１永久磁石２３は配置されている。当該第２永久磁石２５の磁化が、ｘ方向と同じ方向を指し示し、したがって前記第２コイル磁界方向に等しいように、この第２永久磁石２５は配置されている。
【００５１】
前記第１永久磁石２３と前記第２永久磁石２５との磁化は、絶対値的に同じ大きさである。特に、これらの永久磁石の磁化がそれぞれ、回転軸３に対して直角方向に且つほぼ半径方向に延在する。
【００５２】
前記アンカー７は、鉄心１１に向かう方向に位置するミラー５の１つの端部に配置されている。このミラー５の旋回運動時にこのアンカー７によって占められる円形軌道部が、前記空隙１３の内部に延在するように、この鉄心１１が形成されていて且つ配置されている。前記第１永久磁石２３が、前記回転軸３に対する第１回転角度位置に配置されていて、前記第２永久磁石２５が、前記回転軸３に対する第２回転角度位置に配置されている。
【００５３】
図２は、無通電時における光学スキャナ１の平面図である。この場合、より良好な見やすさのため、ミラー５が省略されている。アンカー７が、−図２に示されているように−その中立位置、すなわち２つの永久磁石２３，２５間の中心に存在し、前記コイル中の電流が、零に等しい場合、これらの永久磁石２３，２５の励磁前の磁化に起因して、励磁前磁気回路３６が形成される。
【００５４】
電流が、前記コイル１５に通電すると、励磁回路３７が、当該コイルの電流の通電方向に応じて形成される。この場合、永久磁石２３，２５によって誘導される磁界と、このコイル１５によって誘導される磁界とが重畳する。図３及び４は、第１電流方向３５の存在時の光学スキャナ１を示す。第１電流方向が存在する場合、このコイル１５によって空隙１３内に生成された磁界が、当該第１永久磁石２３の磁化と同じ方向に配向されていて、当該第２永久磁石２５の磁化と逆の方向に配向されている。その結果、当該磁界は、その第１動作空隙２７内では強められ、その第２動作空隙２９内では弱められる。（図示されなかった）第２電流方向が存在する場合、同様に、このコイル１５によって空隙１３内に生成された磁界が、当該第１永久磁石２３の磁化と逆の方向に配向されていて、当該第２永久磁石２５の磁化と同じ方向に配向されている。その結果、当該磁界は、その第１動作空隙２７内では弱められ、その第２動作空隙２９内では強められる。したがって、当該励磁回路３７の磁束の主成分は、当該磁石の磁化方向が当該コイル１５によって空隙１３内に生成された磁界の方向と一致する当該それぞれの永久磁石にわたって延在する。
【００５５】
前記アンカー７の中立位置から前記両動作空隙２７，２９のうちの１つの動作空隙へのこのアンカー７の旋回時に、この動作空隙の透磁率が増大する。これとは反対に、その他のそれぞれの動作空隙の透磁率は減少する。当該アンカー７が、コイル１５の通電時に発生するリアクタンス力に起因して、より強い磁界又はより大きい磁束密度を成す領域の方向に必ず向かって移動される。その結果、ミラー５が、当該コイル１５中で発生する電流の方向及び／又は電流の強さを調整することによって所定の回転角度位置に移行され得る。
【００５６】
図３及び４によれば、コイル１５が、第１電流方向３５に通電されている。その結果、アンカー７に作用する、半径方向の力ベクトル３８を成すリラクタンス力によって、このアンカー７が、ミラー５の対応する回転を伴って、第１永久磁石２３又は第１動作空隙に向かって、或る旋回角度３９だけ移動されている。コイル１５が、第２電流方向に通電されると、当該アンカー７が、このときに発生するリラクタンス力に起因して第２永久磁石２５又は第２動作空隙２９に向かって移動される。
【００５７】
図１〜４による光学スキャナ１は、ミラーホルダ４１によって回転軸３を中心にして旋回可能に鉄心１１に軸支されている。このミラーホルダ４１は、ミラー５を保持するための１つの保持部と、このミラーホルダ４１を軸支するための１つの回転軸スタブ４３とを有する。この回転軸スタブ４３は、１つの軸受４５によって回転可能に当該鉄心１１に軸支されている。この場合、この軸受４５は、例えば、ころ軸受又は滑り軸受として構成され得る。したがって、当該ミラー５が、特に無軸式に、すなわち回転トルクを伝達する軸なしに形成され得る。当該回転軸スタブ４３は、このミラー５を軸支するためだけに使用される。当該光学スキャナ１は、このミラー５の回転角度位置を検出するための１つの位置検出器４７をさらに有する。この場合、この位置検出器４７は、例として、当該ミラーホルダ４１に取り付けられている。その視覚化のため、図１では、ミラー５によって反射された１つの光ビーム４９が、１つのレーザビームとして示されている。
【００５８】
図５〜１１は、別の実施の形態による光学スキャナを示す。この場合、これらの実施の形態の機能は、図１〜４に関して説明されている機能に対応しているので、以下でさらに説明しない。
【００５９】
図５及び６は、第２の実施の形態による光学スキャナ１を示す。この光学スキャナ１は、第１の実施の形態とは違って２つのアンカー部７を有する。これらのアンカー部７が、回転軸３に対して対称に配置されているように、これらのアンカー部７は、この回転軸３に対して半径方向に離間してミラー５に固定されている。１つの第１永久磁石２３と１つの第２永久磁石２５とを有する一対の永久磁石が、当該両アンカー７の各々のアンカー７に割り当てられている。この場合、この第２の実施の形態によれば、回転トルクを発生させるのに役立つコイル磁界が、当該回転軸３に対して同心状に配置された共通のただ１つのコイル１５によって誘導される。図６は、ｘｚ平面に対して平行な断面を示す。
【００６０】
図７及び８は、第３の実施の形態による光学スキャナ１を示す。この光学スキャナ１は、第１の実施の形態とは違って、回転軸３に対して対称にミラー５に配置された同一の２つのアンカーと、この回転軸３に対して対称に（且つ非同心状に）配置された２つのコイル１５とを有する。一対の永久磁石２３，２５が、当該両アンカー７の各々のアンカー７に割り当てられている。
【００６１】
図９及び１０は、第４の実施の形態による光学スキャナ１を示す。この場合、第１の実施の形態とは違って、２つのアンカー７が、ミラー５のそれぞれ１つの面取り部（すなわち、傾斜面）に固定されている。当該それぞれのアンカー７は、三角形の横断面を成して形成されている。したがって、この第４の実施の形態によれば、複数の分割空隙３１が、回転軸３に対して直角に延在するように配置されている。
【００６２】
図１１は、第５の実施の形態による光学スキャナ１を示す。この場合、ミラー５が、回転軸３に対して両側で１つの弾性の連結部５１によってこの回転軸３を中心にして旋回可能に軸支されている。このミラー５が、無通電時において（すなわち、電流が、コイルに通電されていないときに）当該弾性の連結部５１によって提供されたセルフアライニングトルクによってその中立位置で、すなわち２つの永久磁石２３，２５間の中心の回転位置で安定して保持されるように、当該弾性の連結部５１は形成されている。すなわち、アンカー７が、無通電状態においてその中立位置に戻るか又はその中立位置に保持されるように、当該弾性の連結部５１によって提供された、小さい旋回角度に対する復元力が、このアンカーの中心を外れた位置でのこれらの永久磁石の引力を補正するように、当該弾性のヒンジ５１は形成されている。さらに、回転トルク−角度特性曲線の非線形性が、当該弾性の連結部５１によって提供された当該復元力によって補正されるように、当該弾性の連結部５１は形成されている。
【符号の説明】
【００６３】
１      スキャナ装置／光学スキャナ
３      回転軸
５      ミラー
７      アンカー部／アンカー
９      旋回運動／アンカーによって占められる円形軌道部
１１    鉄心
１３    空隙
１５    コイル
１７    鉄心のコイルコア部
１９    鉄心の第１端部／磁石ヨーク
２１    鉄心の第２端部／磁極片部
２３    第１永久磁石
２５    第２永久磁石
２７    第１動作空隙
２９    第２動作空隙
３１    分割空隙
３５    第１電流方向
３６    励磁前磁気回路
３７    励磁回路
３８    半径方向の力ベクトル
３９    旋回角度
４１    ミラーホルダ
４３    回転軸スタブ
４５    軸受
４７    位置検出器
４９    光ビーム／レーザビーム
５１    弾性の連結部／交差ばね連結部
【図１】
0006367924.tif 000002
【図２】
0006367924.tif 000003
【図３】
0006367924.tif 000004
【図４】
0006367924.tif 000005
【図５】
0006367924.tif 000006
【図６】
0006367924.tif 000007
【図７】
0006367924.tif 000008
【図８】
0006367924.tif 000009
【図９】
0006367924.tif 000010
【図１０】
0006367924.tif 000011
【図１１】
0006367924.tif 000012